(57)【要約】      （修正有）【課題】洗濯機等の物品を安定に支持可能であり、熟練を要さず容易に設置することができ、しかも設置面への影響なく、新たな場所への移動が容易な物品支持手段を提供する。【解決手段】物品底部の一部の支持面となる天板１１と、該天板の周縁から下方に向かって突設された周壁板１３と、該天板と周壁板により囲まれる内部空間に格子状に立設されたリブ１５と、を有する本体部と、設置面との接触面に滑り止めのための複数凹凸を有する弾性材料からなる固定台板部と、を有し、前記固定台板部は、前記接触面とは反対の面に上記リブの端部構造と嵌合する溝部を有する突起部を有し、該突起部と上記リブの端部構造が嵌合することにより前記本体部が固定台板部上に嵌着されてなる。【選択図】図１
2013074922.tif 000002
【特許請求の範囲】
【請求項１】
物品底部の一部を支持するために使用される架台であって、
物品底部の一部の支持面となる天板と、該天板の周縁から下方に向かって突設された周壁板と、該天板と周壁板により囲まれる内部空間に格子状に立設されたリブと、を有する本体部と、
設置面との接触面に滑り止めのための複数凹凸を有する弾性材料からなる固定台板部と、
を有し、
前記固定台板部は、前記接触面とは反対の面に上記リブの端部構造と嵌合する溝部を有する突起部を有し、該突起部と上記リブの端部構造が嵌合することにより前記本体部が固定台板部上に嵌着されてなる、前記架台。
【請求項２】
前記突起部の溝部と嵌合する端部構造は十字形状を有する請求項１に記載の架台。
【請求項３】
洗濯機底部の一部を支持するために使用される請求項１または２に記載の架台。
【請求項４】
請求項１または２に記載の架台を複数含んでなる物品支持用架台セット。
【請求項５】
使用時に隣り合って配置される２つの架台間の空間を塞ぐための幕板を更に含む、請求項４に記載の物品支持用架台セット。
【請求項６】
洗濯機を支持するために使用される、請求項４または５に記載の物品支持用架台セット。
【発明の詳細な説明】
【技術分野】
【０００１】
本発明は、洗濯機等の各種物品を支持するために使用される架台に関するものであり、詳しくは、重い物品を安定に支持することができる架台に関するものである。
更に本発明は、前記架台を含む物品支持用架台セットにも関する。
【背景技術】
【０００２】
通常、マンション等の集合住宅には、洗濯機置場に洗濯機の排水や漏水による床面の浸水や、下階への漏水を防止する目的で、防水パンが設置されている。
【０００３】
現在、多くの集合住宅に設置されている防水パンは、洗濯物の投入口が垂直上方に向いているドラムを備えた洗濯機（以下、縦型洗濯機という）において、洗濯物の出し入れ等の作業を楽な姿勢で行える高さ位置に形成されている。しかし、近年は縦型洗濯機のほかに、洗濯物の投入口が斜め上方に向いている洗濯機（以下、傾斜型洗濯機という）、水平方向に向いている洗濯機（以下、横型洗濯機という）も普及してきている。これら傾斜型洗濯機および横型洗濯機の投入口は、縦型洗濯機の投入口よりも低い位置にあるため、単に縦型洗濯機用の防水パン上に設置するのみでは、洗濯物の出し入れ等の作業やその他の操作を腰をかがめて行わなければならなくなる。
【０００４】
この点については、特許文献１に、傾斜型洗濯機や横型洗濯機を、その投入口が洗濯物の出し入れ等の作業が安定した楽な姿勢で行える高さ位置となるように設置させることができる洗濯機用防水パンが提案されている。また特許文献２には、防水パンと独立した台座により、洗濯機を支持することが提案されている。
【先行技術文献】
【特許文献】
【０００５】
【特許文献１】特許第４６３４２５５号明細書
【特許文献２】特開２００９−１６７６３９号公報
【発明の概要】
【発明が解決しようとする課題】
【０００６】
上記特許文献１に記載の洗濯機用防水パンのように、洗濯機の四隅を支持することで洗濯機の設置位置を高くすることは、特に、傾斜型洗濯機および横型洗濯機使用時の不具合を解消するための有効な手段である。また、特許文献１に記載されているように、洗濯機の下に空間を設けることができるため、配管作業や防水パンの清掃を容易に行うことができる点は、傾斜型洗濯機および横型洗濯機に限らず、縦型洗濯機においても大きなメリットとなる。
【０００７】
また、特許文献２に記載されているように防水パンと独立した台座を使用することは、洗濯機の設置場所の自由度が広がる点、および洗濯機のサイズに応じた位置に台座を設置することができるため様々なサイズの洗濯機に使用可能である点で有利である。
【０００８】
しかし洗濯機は動作中に振動するため、防水パンと台座が独立していると振動により台座が防水パン上で動いてしてしまうおそれがある。この点について特許文献２には、台座底面に粘着テープを設けることが提案されているが、粘着テープによる固定では、設置場所が意図した場所からずれてしまうと修正作業を行うことが難しいため、熟練工による設置作業を要する。また、台座を粘着テープにより防水パンと貼り付けると、一度設置した場所から台座を移動させる場合に粘着テープを剥がさなければならず、また、一度剥がした後には粘着テープを貼りなおさなければ新たな場所に設置することができないという不具合がある。加えて、粘着テープを剥がした際、台座を設置していた床面に粘着材が残ったり、床面が剥がれたりするなど床材に悪影響を及ぼす場合もある。
【０００９】
そこで本発明の目的は、洗濯機等の物品を安定に支持可能であり、熟練を要さず容易に設置することができ、しかも設置面への影響なく、新たな場所への移動が容易な物品支持手段を提供することにある。
【課題を解決するための手段】
【００１０】
上記目的を達成するための手段は、以下の通りである。
［１］物品底部の一部を支持するために使用される架台であって、
物品底部の一部の支持面となる天板と、該天板の周縁から下方に向かって突設された周壁板と、該天板と周壁板により囲まれる内部空間に格子状に立設されたリブと、を有する本体部と、
設置面との接触面に滑り止めのための複数凹凸を有する弾性材料からなる固定台板部と、
を有し、
前記固定台板部は、前記接触面とは反対の面に上記リブの端部構造と嵌合する溝部を有する突起部を有し、該突起部と上記リブの端部構造が嵌合することにより前記本体部が固定台板部上に嵌着されてなる、前記架台。
［２］前記突起部の溝部と嵌合する端部構造は十字形状を有する［１］に記載の架台。
［３］洗濯機底部の一部を支持するために使用される［１］または［２］に記載の架台。
［４］［１］または［２］に記載の架台を複数含んでなる物品支持用架台セット。
［５］使用時に隣り合って配置される２つの架台間の空間を塞ぐための幕板を更に含む、［４］に記載の物品支持用架台セット。
［６］洗濯機を支持するために使用される、［４］または［５］に記載の物品支持用架台セット。
【発明の効果】
【００１１】
本発明の架台および架台セットによれば、洗濯機等の重い物品を安定に支持することができる。また。本発明の架台および架台セットは、底部が弾性材料からなるため、防振性にも優れるものである。
【図面の簡単な説明】
【００１２】
【図１】本発明の架台の本体部の一態様を示す。
【図２】本発明の架台の固定台板部の一態様を示す。
【図３】固定台板部に設けられる突起部の説明図である。
【図４】本体部と固定台板部を組み付けて構成した本発明の架台の一態様を示す。
【図５】幕板を本発明の架台と組み付けた状態の上方斜視図である。
【図６】幕板の上方斜視図である。
【図７】本発明の架台キットの構成要素を設置面上に配置して構成した支持台を模式的に示す上面図である。
【発明を実施するための形態】
【００１３】
本発明は、物品底部の一部を支持するために使用される架台に関する。本発明の架台は、物品底部の一部の支持面となる天板と、該天板の周縁から下方に向かって突設された周壁板と、該天板と周壁板により囲まれる内部空間に格子状に立設されたリブと、を有する本体部と、設置面との接触面に滑り止めのための複数凹凸を有する弾性材料からなる固定台板部と、を有する。そして前記固定台板部は、前記接触面とは反対の面に上記リブの端部構造と嵌合する溝部を有する突起部を有し、該突起部と上記リブの端部構造が嵌合することにより前記本体部が固定台板部上に嵌着される。
上記本発明の架台は、設置面との接触面に滑り止めのための複数凹凸を有するため、特許文献２に記載されているような粘着テープによらず、支持される物品が振動したとしても架台の安定性を維持することができる。また、上記固定台板部が弾性材料からなることにより、弾性材料による振動吸収効果によって、振動による架台の移動を防止することができ、しかも架台に防振性を付与することができる。固定台板部と本体部との嵌合部となる上記突起部も弾性材料からなるため、該突起部により本体部から伝わる振動を吸収することができる点も、防振性向上に寄与する。
以下、本発明の架台について、図面を参照し更に詳細に説明する。
【００１４】
図１は、本発明の架台の本体部の一態様を示す図面であり、図１（ａ）は本体部１０を天板側から見た上方斜視図、（ｂ）は下方斜視図である。
【００１５】
図１に示す本体部１０は、図１（ａ）に示すように使用時に物品底部の支持面となる天板１１と、該天板の周縁から下方に向かって突設された周壁板１３を四方に有する。天板１１の四辺のうちの二辺には、外側端縁から上方に突出した突条部１２が一定高さで設けられている。この突条部１２の詳細については、特許第４３６４２５５号明細書段落［０００９］を参照できる。ただし本発明の架台が、上記突条部を持つことは必須ではない。また、突条部１２のない他の二辺に設けられている係止凹部１４は、後述する幕板との接続部分である。
【００１６】
本体部１０は、天板１１と四方に設けられた周板１３により囲まれた内部空間に、図１（ｂ）に示すように、格子状に立設されたリブ１５を有する。リブ１５のない場合には、内部空間は空洞となるため天板１１上に設置された物品の重さに耐えられず本体部が破損するおそれがあるが、リブ１５は補強部材としての機能を果たすことにより、設置される物品の重さに耐え得る高い強度を本体部１０に付与することができる。
【００１７】
次に、上記本体部１０と嵌着される固定台板部について説明する。
【００１８】
図２は、本発明の架台の固定台板部の一態様を示す図面であり、図２（ａ）は固定台板部２０を、設置面との接触面側から見た下方斜視図であり、図２（ｂ）は上方斜視図である。
【００１９】
固定台板部２０は、弾性材料からなり、金型を用いる射出成形等の公知の成形方法で作製することができる。弾性材料とは外力による変形量がその外力と比例関係をもつ材料のことをいい、変形することで振動を吸収することができる。固定台板部を構成可能な弾性材料としては、各種エラストマー樹脂を挙げることができる。一方、前記本体部は、天板上に設置される洗濯機等の物品の重さによっても変形しない、ポリオレフィン樹脂等の剛性材料（非弾性材料）から形成することが好ましい。
【００２０】
図２（ａ）に示すように、固定台板部２０は、設置面との接触面２１に滑り止めのための複数の凹凸を有する。本発明の架台は、底面に当該凹凸を有するため、特許文献２に記載されているような粘着テープによらず、天板上に設置した洗濯機等の物品が振動したとしても、位置ずれを起こすことなく物品を安定に支持することができる。上記凹凸は、金型表面に凹凸に対応する形状を設けて該形状を転写する方法やエンボス加工等によって形成することができる。
【００２１】
図２（ｂ）は、図２（ａ）に示す接触面２１と反対の面２２側から見た上方斜視図であって、面２２上には、四隅に突起部２３が設けられている。本発明の架台の平面視形状が正方形ないし矩形の場合、四隅に突起部を設けることが架台の安定性の点から好ましい。また、本発明の架台の平面視形状が円形ないし楕円形の場合には、中央部または円周に沿って等間隔に突起部を設けることが、架台の安定性の点から好ましい。突起部２３のその他詳細については、後述する。更に面２２上には、外周全周にわたり突設された段差部２４が形成されている。本体部１０と固定台板部２０を嵌着させた際、段差部２４の内周面が、本体部周壁板の外側面下端部と当接するように固定台板部の寸法を決定することが、本体部を固定台板部上により一層安定に位置決め保持するうえで好ましい。なお図２に示す態様では、固定台板部には開口部２５が設けられている。開口部２５を設けることは材料の使用量を削減し製造コストを低減するうえで好ましいが必須ではない。
【００２２】
次に、突起部２３について、図３を参照し説明する。
【００２３】
図３（ａ）は、固定台板部２０の面２２側平面図であり、図３（ｂ）は図３（ａ）のＸ−Ｘ線における断面図である。図１（ｂ）に示すように、本体部の底部は開口しリブ１５の端部の十字構造が連続している。固定台板部２０の突起部２３には、この連続する十字構造の一部と嵌合可能な十字状の溝部２４（図３（ａ）では点線で表示）が設けられている。溝部の深さおよび幅は、本体部のリブの十字構造と隙間なく嵌合するようにリブの構造に応じて決定することが好ましい。なお図３では、突起部に十字状の溝以外にも、溝が突起部１つあたり４箇所設けられているが、これらの溝は材料の使用量削減によるコスト低減のために設けられるものであり、本発明において必須ではない。また、上記突起部が十字状の溝部によって本体部のリブ端部構造を嵌合することは、安定性および製造コスト面から好ましいが、例えば、上記突起部の直線状の溝部とリブ端部の直線構造を嵌合させること等も、もちろん可能である。
【００２４】
以上説明した固定台板部の突起部と本体部のリブ端部構造が嵌合することにより前記本体部が固定台板部上に嵌着されて本発明の架台が構成される。本体部と固定台板部を組み付けて構成した本発明の架台の一態様を、図４に示す。
【００２５】
更に本発明は、本発明の架台を複数含んでなる物品支持用架台セットに関する。本発明の架台セットは、支持対象の物品底部の一部を支持するように複数の架台を設置面上に配置する。例えば、支持対象の物品底部の四隅を支持するように、４つの架台を設置面上に配置することができる。または、支持対象の物品底部の両端を支持するように、２つの架台を設置面に配置してもよい。先に説明したように、本発明の架台は固定台板部の滑り止め用凹凸を有する面が設置面との接触面となる。
【００２６】
隣り合って配置される２つの架台は隣接配置してもよいが、所定の間隔をもって配置することが好ましい。支持対象の物品底部と設置面との間に空間が形成されることとなり、例えば支持対象物品が洗濯機の場合、洗濯機を移動させることなく配管作業や防水パンの清掃を行うことができるからである。この場合、上記空間に外部からの異物や小動物が侵入することを防ぐための幕板を設けることも、好ましい対応である。そのような幕板を本発明の架台と組み付けた状態の上方斜視図を、図５に示す。先に説明した係止凹部１４に、幕板３０の突片３１を係合させることで、幕板３０と架台を連結することができる。図６は、幕板３０の上方斜視図であって、幕板３０には、横幅が隣り合って配置される２つの架台の間隔の幅に等しく、上面３２が架台の天板の高さと等しくなるように形成されている。前面３３によって隣り合う架台間の空間を塞ぐことができる。上記幕板の詳細については、特許第４６３４２５５号明細書段落［００１０］、［００１４］〜［００１７］を参照できる。幕板は架台と同様に、物品の重さに耐え得るように剛性材料から構成することが好ましい。
【００２７】
図７は、本発明の架台キットの構成要素を設置面上に配置して構成した支持台を模式的に示す上面図である。図中、点線は支持台によって支持される物品の輪郭を示す。図７に斜線を付して示した部材は幕板であり、四方に配置された部材は本発明の架台である。図７に示すように隣り合って配置される架台の間隔すべてに幕板を配置してもよく、一部に配置してもよい。
【００２８】
以上説明した本発明の架台は、防水パン上に設置し洗濯機を支持するために好適に使用されるものであるが、洗濯機のほかの物品を支持するために使用することも、もちろん可能である。例えば冷蔵庫下の空間の清掃を容易にするために本発明の架台を冷蔵庫支持用架台として使用してもよい。また、支持される物品と設置面との間に形成された空間は、各種物品の収納場所として有効利用することもできる。
【産業上の利用可能性】
【００２９】
本発明の架台および架台キットは、各種物品を支持するために好適に使用することができる。
【図１】
2013074922.tif 000003
【図２】
2013074922.tif 000004
【図３】
2013074922.tif 000005
【図４】
2013074922.tif 000006
【図５】
2013074922.tif 000007
【図６】
2013074922.tif 000008
【図７】
2013074922.tif 000009